(57)【要約】【課題】室内機から吹き出される送風量の低下を防止できる農事用空気調和装置を提供する。【解決手段】ビニールハウス１内に設置された室内機５０は、送風ファン及び室内熱交換器を収容するユニットケース１１を備え、このユニットケース１１の背面には、室内熱交換器を露出させる背面開口部１８が形成され、ユニットケース１１の前面には、送風ファンにより背面開口部１８から吸い込んで室内熱交換器を通過した調和空気を吹き出す前面開口部１６が形成され、背面開口部１８には、当該背面開口部１８とビニールハウス１のビニールシート６１との間に延在し、このビニールシート６１が背面開口部１８を塞ぐことを防止する閉塞防止ガード７０が設けられている。【選択図】図６
2010196976.tif 000002
【特許請求の範囲】
【請求項１】
植物栽培用ハウス内に設置された室内機と、この室内機に冷媒配管で接続された室外機とを備え、前記室内機は、送風ファン及び室内熱交換器を収容するケースを備え、このケースの背面には、前記室内熱交換器を露出させる背面開口部が形成され、前記ケースの前面には、前記送風ファンにより前記背面開口部から吸い込んで前記室内熱交換器を通過した調和空気を吹き出す前面開口部が形成され、
前記背面開口部には、当該背面開口部と前記ハウスの樹脂シートとの間に延在し、この樹脂シートが前記背面開口部を塞ぐことを防止する閉塞防止ガードが設けられていることを特徴とする農事用空気調和装置。
【請求項２】
前記閉塞防止ガードは、前記背面開口部から離間して配置された複数の横枠部材と、これら横枠部材を連結する縦枠部材とを備えて構成されることを特徴とする請求項１に記載の農事用空気調和装置。
【請求項３】
前記縦枠部材は、前記樹脂シートを上方に巻き上げた際に、当該樹脂シートの下縁部より上方に延在し、前記ケースの前面から背面に向けて下方に傾斜する傾斜部を備えることを特徴とする請求項２に記載の農事用空気調和装置。
【発明の詳細な説明】
【技術分野】
【０００１】
本発明は、植物等の栽培に用いられる植物栽培用ハウス（温室やビニールハウス等）内を空調するための農事用空気調和装置に関する。
【背景技術】
【０００２】
従来、農業用の植物栽培用ハウスにおいては、温風加熱手段としての温室ボイラーを用いて暖気を生成し、冬や夜間のハウス内温度を作物の育成に適する温度に維持している（例えば、特許文献１参照）。また、この種のものでは、温室ボイラーの暖気がダクトを介してハウス内の適宜の場所に導かれることで、ハウス内の温度分布が均一になるように調整されている。
しかしながら、植物栽培用ハウスが大きくなるほど、ハウス内の温度分布を均一にするには、より多くのダクトが必要となる。このため、ハウス内にはダクトが縦横無尽に張り巡ることとなり、ダクトが邪魔になって作業性の低下を招くという問題や、植物の作付面積がダクトによって減じられることで収穫高が減少するという問題がある。
これを解消するために、ハウスの外側に設置され、室外熱交換器及び圧縮機を収容する室外機と、ハウスの内側に設置され、室外機と冷媒配管によって空調運転可能に接続される室内機とを備え、この室内機が本体後面のほぼ全面に亘って表出する室内熱交換器と、プロペラファン型の送風ファンとを有し、この送風ファンを駆動して、本体後面から空気を吸い込み、本体前面から空調後の調和空気を放出させることにより、当該送風ファンの大きな風量を利用して、ダクトを設けずにハウス内の温度分布の均一化を図る技術が模索されている。
【特許文献１】特開２００３−１８５３６８号公報
【発明の開示】
【発明が解決しようとする課題】
【０００３】
ところで、植物栽培用ハウスでは、このハウス内の土の入れ替え作業等をする際に開閉される樹脂シートが、出入口とは別個に設けられている。この樹脂シートは、一般に、ハウス側面の上方に巻き取り可能となっており、当該樹脂シートの下縁部には重石が取り付けられて、当該樹脂シートが風に煽られることが防止されている。
上記した構成では、植物栽培用ハウス内に室内機を備え、この室内機の本体後面側、すなわち空気吸い込み側に樹脂シートが配置されているため、空調運転時に送風ファンにより樹脂シートが本体の後面開口に密着し、送風量が著しく低下することが想定された。
そこで、本発明は、室内機から吹き出される送風量の低下を防止する農事用空気調和装置を提供することを目的とする。
【課題を解決するための手段】
【０００４】
上述した課題を解決するため、本発明は、植物栽培用ハウス内に設置された室内機と、この室内機に冷媒配管で接続された室外機とを備え、前記室内機は、送風ファン及び室内熱交換器を収容するケースを備え、このケースの背面には、前記室内熱交換器を露出させる背面開口部が形成され、前記ケースの前面には、前記送風ファンにより前記背面開口部から吸い込んで前記室内熱交換器を通過した調和空気を吹き出す前面開口部が形成され、前記背面開口部には、当該背面開口部と前記ハウスの樹脂シートとの間に延在し、この樹脂シートが前記背面開口部を塞ぐことを防止する閉塞防止ガードが設けられていることを特徴とする。
【０００５】
この構成によれば、背面開口部には、当該背面開口部とハウスの樹脂シートとの間に延在し、この樹脂シートが背面開口部を塞ぐことを防止する閉塞防止ガードが設けられているため、樹脂シートが背面開口部に密着することがなく、室内機の前面開口部から吹き出される調和空気の送風量の低下が防止される。
【０００６】
この構成において、前記閉塞防止ガードは、前記背面開口部から離間して配置された複数の横枠部材と、これら横枠部材を連結する縦枠部材とを備えた構成され賭しても良い。
【０００７】
この構成によれば、閉塞防止ガードは、背面開口部から離間して配置された複数の横枠部材と、これら横枠部材を連結する縦枠部材とを組み合わせて形成されるため、この閉塞防止ガード自体が背面開口部を塞ぐことはなく、この背面開口部の開口面積を狭めることがないとともに、当該閉塞防止ガードの軽量化を実現することができる。
【０００８】
また、前記縦枠部材は、前記樹脂シートを上方に巻き上げた際に、当該樹脂シートの下縁部よりの上方に延在し、前記ケースの前面から背面に向けて下方に傾斜する傾斜部を備える構成としても良い。
この構成によれば、樹脂シートの下縁部が傾斜部に案内されて降下することにより、この樹脂シートを閉塞防止ガードよりも背面側に確実に案内することができる。
【発明の効果】
【０００９】
本発明は、背面開口部には、当該背面開口部とハウスの樹脂シートとの間に延在し、この樹脂シートが背面開口部を塞ぐことを防止する閉塞防止ガードが設けられているため、樹脂シートが背面開口部に密着することがなく、室内機の前面開口部から吹き出される調和空気の送風量の低下が防止される。
【発明を実施するための最良の形態】
【００１０】
以下、図面を参照して本発明の実施形態を詳述する。
図１は、植物等の栽培に用いられるビニールハウス（植物栽培用ハウス）１内に本実施形態に係る農事用空調機（農事用空気調和装置）６を設置した状態を示す概要図である。
ビニールハウス１は、外側空間２と内側空間３とを仕切る外壁４によって温室として区画されており、その内部を所定の温度に維持することで植物５の栽培を促進させる。この外壁４には、断熱性に優れた合成樹脂等が使用される。
【００１１】
このビニールハウス１には、内側空間３内を所定の温度に維持するために、複数（本実施例では２台）の農事用空調機６が設置されている。この農事用空調機６は、ビニールハウス１の外側空間２に設置される室外機１０と、内側空間３内に設置される室内機５０とを備え、室外機１０及び室内機５０は、ビニールハウス１の外壁４を貫通する態様で配管された冷媒配管７によって配管接続されている。
【００１２】
図２は、農事用空調機６に使用される室外機１０の外観を示す斜視図である。また、図３は、室外機１０のユニットケース１１内に収容される機器の構成を示す分解斜視図である。
この室外機１０は、図２に示すように、略直方体箱形状のユニットケース１１を備えている。このユニットケース１１は、底板１２、天板１３、左側前面パネル１４ａ、右側前面パネル１４ｂ、及び、外板１５によって構成されている。左側前面パネル１４ａの内側には、後述する２つの送風ファン３４、３４が上下に並設されており、このパネル１４ａの前面には、送風ファン３４、３４の各々に対応する前面開口部（吹出口として機能する開口部）１６、１６が形成され、この前面開口部１６、１６は、ファンガード１７、１７で覆われている。
【００１３】
ユニットケース１１の内部は、図３に示す仕切板３１によって左右の室に画成されている。その左側の室は、室外熱交換器３２が収容された熱交換室３５として使用され、右側の室は機械室４０として使用される。機械室４０には、その下側に配置される圧縮機４１と、この圧縮機４１の近傍に配置されるアキュムレータ４４等の冷媒回路を構成する機器が収容されている。また、機械室４０の下方には、電装ボックス４７が配設されている。この電装ボックス４７には、室外機１０の各部に電源を供給する電源トランス４８等が収容されている。さらに、機械室４０には、室外熱交換器３２から延在し、冷媒配管を接続するための配管接続部３８が配設されている。
【００１４】
室外熱交換器３２は、図３に示すように、平面視で略Ｌ字形状に屈曲する形状に形成されており、この室外熱交換器３２の短手部分３２ａが熱交換室３５の左側面に沿い、かつ、室外熱交換器３２の長手部分３２ｂが熱交換室３５の背面に沿うようにユニットケース１１に組み付けられる。ここで、ユニットケース１１の側面及び背面（より具体的には熱交換室３５の側面及び背面の略全体）には、側面から背面にかけて開口する背面開口部（吸込口として機能する開口部）１８が形成されており、この背面開口部１８から室外熱交換器３２が外部に表出（露出）する。また、この背面開口部１８には、空気を流通自在な網状板部材であるフィンガード１９が取り付けられ、このフィンガード１９により室外熱交換器３２のフィンが外側から覆われる。
このように室外熱交換器３２をユニットケース１１の左側面及び背面から露出（表出）させることで、外気との接触面積を広く確保し、熱交換率を高めることができる。また、本構成では、室外熱交換器３２をユニットケース１１のケース高さと略同高さに形成しており、これにより、ユニットケース１１の左側面及び背面にて上下に渡って室外熱交換器を露出させ、ユニットケース１１全体に占める熱交換面積をより広く確保することができる。
【００１５】
また、ユニットケース１１には、室外熱交換器３２と左側前面パネル１４ａとの間に上下に延出するモータ台４６が取り付けられ、このモータ台４６に室外機１０内の空気を前面開口部１６、１６を通してケース前面に強制排気する２個の送風ファン３４が取り付けられている。この場合、送風ファン３４、３４を駆動するファンモータ３３、３３は、モータ台４６に対しそのモータ軸をケース前面に向けて上下一列に配列され、電源トランス４８から電源供給を受けて回転する。
すなわち、送風ファン３４、３４を駆動した場合、ユニットケース１１の背面開口部１８から外気が吸い込まれ、室外熱交換器３２を通過して熱交換され、この熱交換された空気が、ユニットケース１１の前面開口部１６、１６から各々排出される。本構成では、送風ファン３４、３４を上下に配置したため、上方の送風ファン３４により上方空気の強制排気を行い、下方の送風ファン３４により下方空気の強制排気を行うことで、室外熱交換器３２における熱交換が強制的に促進され、さらに、機械室４０に収容される圧縮機４１や電源トランス４８等から発せられる熱が、室外機１０の外部へ放出される。また、これらの送風ファン３４は、プロペラファン型が適用され、モータ容量が同一の場合のシロッコファンと比較して送風能力を高くすることができる。
【００１６】
また、この室外機１０は屋外に設置される仕様であるため、ユニットケース１１は雨水等に曝されても運転に影響が生じない防水構造になっている。また、内部に収容されるファンモータ３３、３３や電装ボックス４７も防水構造になっている。
【００１７】
この室外機１０の外形状は、空気を取り込む後面の面積をできるだけ広く確保するために、室外機１０の奥行き方向の長さよりも幅方向の長さが長くなるように構成されている。また、背面の全面を室外熱交換器３２で構成（背面から表出）しているので、室外熱交換器３２を室外機１０の内部に内包させる構造と比較して、奥行き方向を短くしており、奥行き方向での設置面積が大きくならないように構成されている。
【００１８】
また、室外機１０は、居室空間を空調する汎用の空調機に使用される室外機と略同一（少なくとも主要部品である、室外熱交換器３２、ユニットケース１１、圧縮機４１、アキュムレータ４４、ファンモータ３３、送風ファン３４、及び電装ボックス４７が同一）のものが使用されている。すなわち、この室外機１０は、汎用の空調機にも、農事用空調機６にも同じ構成で使用することが可能であり、汎用の室外機と共通化することで、農事用空調機６としてのトータルコストを抑えることができるようにしている。
【００１９】
次に、室内機５０について説明する。
図４は、農事用空調機６に使用される室内機５０を示す図である。また、図５は室内機５０の平面図である。
室内機５０は、上述した室外機１０（すなわち、汎用の空調機に使用される室外機と同一の室外機）と使用可能な部品の共通化（少なくとも主要部品である、室内熱交換器５２（室外熱交換器３２と同一）、ユニットケース１１、ファンモータ３３、送風ファン３４が同一）が図られたものであり、その外観構成及び外観形状は室外機１０（図２参照）と略同じである。以下の説明では、室内機５０に使用される部品であって室外機１０の部品と同じ部品については同一の符号を付して説明する。
【００２０】
室内機５０は、防水構造を備えたユニットケース１１を備え、その内部は、室外機１０と同様に仕切板３１によって左右の室に画成されている。左側の室は、室内熱交換器５２（室外熱交換器３２と同じ部品）が収容された熱交換室５３であり、右側の室は機械室５４である。機械室５４の上部には、防水構造の電装ボックス５６が配設されている。また、機械室５４には、室内熱交換器５２から延在し、冷媒配管を接続するための配管接続部５８が配設されている。なお、図４では、説明の便宜上、右側前面パネル１４ｂ、天板１３、及び、ファンガード１７を取り外した状態を示している。
【００２１】
室内熱交換器５２は、室外熱交換器３２と同一部品が適用され、上記と同様に平面視略Ｌ字形状に屈曲する態様で形成されており、室内熱交換器５２の短手部分５２ａが熱交換室５３の左側面に沿い、かつ、室内熱交換器５２の長手部分５２ｂが熱交換室５３の背面に沿うようにユニットケース１１に組み付けられる。また、このユニットケース１１にも、ユニットケース１１の側面及び背面にかけて開口する背面開口部１８が形成されており、室内熱交換器５２がユニットケース１１に組み付けられた状態で、この背面開口部１８から室外熱交換器３２が外部に表出（露出）する。
すなわち、室内熱交換器５２が、ユニットケース１１の左側面及び背面から露出することで、ハウス１内の室内空気との接触面積を広く確保し、熱交換効率を高めることができると共に、室内機５０の空気吸込口（＝背面開口部１８）を広く確保することができる。また、室内熱交換器５２と室外熱交換器３２とが共通で同一形状かつ同一サイズとなるため、室内と室外とで熱交換量のバランスをとりやすくなり、エネルギー消費効率の向上に有利なレイアウトにすることができる。
【００２２】
また、室内機５０のユニットケース１１にも、室内熱交換器５２に近接して設けられたファンモータ３３、３３、プロペラファン型の送風ファン３４、３４がモータ台４６を介して室外機１０と同じ構造で取り付けられ、この送風ファン３４、３４の各々に対応する前面開口部（吹出口として機能する開口部）１６、１６が形成されている。
これら２個のファンモータ３３、３３は、それぞれ電装ボックス５６から電源供給を受けて回転し、送風ファン３４、３４を駆動する。この送風ファン３４、３４を駆動した場合には、ユニットケース１１の背面開口部１８から外気が吸い込まれ、室内熱交換器５２を通過して熱交換され、この熱交換された空気（調和空気とも言う）が、ユニットケース１１の前面開口部１６、１６から各々排出される。この室内機５０でも、送風ファン３４、３４を上下に配置したため、室内熱交換器５２における熱交換を効率よく行うことができ、また、ユニット内の通風路を直線にでき、かつ、送風ファン３４、３４をプロペラファン型としているため、モータ容量が同一の場合のシロッコファンと比較して送風能力を高くすることができる。
【００２３】
農事用空調機６が対象とするビニールハウス１は、作付面積を広く確保して、より多くの植物５を栽培することが望まれており、通常の空調機が対象とする居室空間の床面積と比較して広い。ゆえに、農事用空調機６は、広い空調空間を空気調和するのに適したものが要求される。一方、農事用空調機６の室内機５０は、居室空間（厨房又は工場を含む）に設置する室内機と比較して、その外観性や運転音の大きさは問題にならない。さらに、居室空間に設置する室内機と異なり、ハウス内で行われる散水等によって水がかかるため、防水構造にする必要がある。
【００２４】
そのため、農事用空調機６の室内機５０では、居室空間に設置する室内機のように、下面や前面から室内空気を吸い込んで前面から吹き出す構造にして外観性を高める、といった必要がない。
また、下面や前面から空気を吸い込んで前面から吹き出す構造では、室内熱交換器の熱交換面積を大きくすることが困難である。すなわち、ユニットケースの外側に熱交換器を表出させる構造と異なり、ユニットケース内に室内熱交換器を内包するようにしなければならないため、熱交換器が小さくなってしまう。換言すれば、同一の熱交換面積を確保するためには、ユニットケースの外形状を大きくしなければならず、かつ、大きくするために農事用空調機６としての専用設計が必要となる。
さらに、送風ファンも、居室空間に設置するシロッコファンのように静音のものを使用しなくてもよく、音が多少大きくても多くの空気を吸い込み／吹き出すことのできる送風ファン３４を使用することが得策である。
さらにまた、室外機は防水構造で構成されているため、防水構造にするための専用設計を必要とせず、散水等によって室内機５０に水がかかっても問題はない。
【００２５】
そのため、室内機５０は、室外機１０の部品と可能な限り共通化することによって、背面開口部１８から吸い込んで前面から吹き出させる構造にして空気抵抗を少なくしてかつ熱交換面積を広く確保することができ、プロペラファン型の送風ファン３４を用いて送風能力を高めることができ、ユニットケース１１、電装ボックス５６、ファンモータ３３が元来の室外機１０で構成されている防水構造を有することができ、かつ、農事用空調機６の室内機５０に適用するために部品配置や防水構造等に関する専用設計を不要にすることができる。
【００２６】
ところで、ビニールハウス１の側面に位置する外壁４には、この外壁４の一部にハウス１内の土の入れ替え作業や、ハウス内の換気を行う際に開放される開口６０が形成され、この開口６０を開閉自在とするビニールシート（樹脂シート）６１が配置されている。このビニールシート６１は、図６に示すように、断熱性に優れた合成樹脂を複数枚（本実施形態では３枚）のシート６１Ａ〜６１Ｃを積層して構成される。これらシート６１Ａ〜６１Ｃは、開口６０の上縁部近傍に略水平に配置された軸部材６２に接続されている。この軸部材６２には、当該軸部材６２を手動もしくは自動で回転させ、シート６１Ａ〜６１Ｃを巻き取る巻取機構（不図示）が取り付けられている。この巻取機構を操作することにより、シート６１Ａ〜６１Ｃは、軸部材６２に上方に巻き取られて当該開口６０を開放し、この軸部材６２から下方に引き出されて当該開口６０を閉鎖する。この図６では、シート６１Ａ〜６１Ｃが巻き取られた状態を実線で示し、シート６１Ａ〜６１Ｃが引き出された状態を破線で示している。
これらシート６１Ａ〜６１Ｃの下縁部６３Ａ〜６３Ｃには、それぞれ重石が設けられ、シート６１Ａ〜６１Ｃを下方に引き出した際に、当該シート６１Ａ〜６１Ｃが風に煽られないようになっている。
【００２７】
このように、ビニールシート６１は、各シート６１Ａ〜６１Ｃを引き出した場合に、これらシート６１Ａ〜６１Ｃの下縁部６３Ａ〜６３Ｃが地面等に固定されていない。一方、室内機５０は、背面開口部１８をビニールシート６１に対向させて配置されている。このため、農事用空調機６を空調運転した場合、室内機５０の送風ファン３４の運転により、ビニールシート６１がビニールハウス１の内側空間３に引き寄せられて背面開口部１８に密着し、この背面開口部１８を閉塞することがある。この場合、前面開口部１６から吹き出される調和空気の送風量が著しく低下するため、ビニールハウス１内の温度分布が不均一となることが想定される。
【００２８】
本構成では、室内機５０には、背面開口部１８とビニールシート６１との間に延在して、このビニールシート６１が背面開口部１８を閉塞することを防止する閉塞防止ガード７０が設けられている。この閉塞防止ガード７０は、図７に示すように、ユニットケース１１の側面及び背面を覆うように形成され、背面開口部１８とビニールシート６１との密着を防止するものである。
閉塞防止ガード７０は、ワイヤ等の線材を平面視で略台形状に折り曲げて形成され、ユニットケース１１の異なる高さ位置に略等間隔で配置される複数（本実施形態では５つ）の横枠部材７１Ａ〜７１Ｅと、これら横枠部材７１Ａ〜７１Ｅを連結する複数（本実施形態では９つ）の縦枠部材７２Ａ〜７２Ｉとを備えて構成される。これら横枠部材７１Ａ〜７１Ｅと縦枠部材７２Ａ〜７２Ｉとは、例えば、溶接等により連結されて、ユニットケース１１を囲う枠体を構成し、閉塞防止ガード７０の強度が保持される。本構成では、横枠部材７１Ａ〜７１Ｅと縦枠部材７２Ａ〜７２Ｉとを組み合わせて閉塞防止ガード７０を形成しているため、この閉塞防止ガード７０自体が背面開口部１８を塞ぐことはなく、この背面開口部１８の開口面積を狭めることがないとともに、当該閉塞防止ガード７０の軽量化を図ることができる。
【００２９】
横枠部材７１Ａは、ユニットケース１１の前面側に位置してユニットケース側方に延びる一対の前辺部８１Ａ、８１Ａと、これら前辺部８１Ａ、８１Ａと略平行にユニットケース１１の背面側に延びる背辺部８２Ａと、この背辺部８２Ａと前辺部８１Ａとを繋ぐ斜辺部８３Ａ、８４Ａとを備えて略台形形状に形成されている。
前辺部８１Ａの端部８１Ａ１には、それぞれブラケット（不図示）が設けられ、このブラケットを介して、横枠部材７１Ａ（閉塞防止ガード７０）がユニットケース１１にねじ止めされる。
【００３０】
また、背辺部８２Ａは、ユニットケース１１の背面開口部１８から所定距離だけ離間して配置され、この背面開口部１８と閉塞防止ガード７０との隙間を確保している。さらに、この背辺部８２Ａは、ユニットケース１１と前辺部８１Ａ、８１Ａとを合わせた横幅よりも小さく形成されており、各斜辺部８３Ａ、８４Ａは、ユニットケース１１の前面側から背面側に向かうにつれ、当該ユニットケース１１に接近するように傾斜している。
これによれば、ユニットケース１１の幅方向に移動するものが斜辺部８３Ａ、８４Ａに当接すると、この斜辺部８３Ａ、８４Ａによってユニットケース１１の背面側に案内される。このため、ビニールシートが、例えばカーテンのように、レールに沿って横方向にスライドさせることにより、開口を開閉するものである場合、このビニールシートの先端部が内側空間３に引き寄せられたとしても、当該ビニールシートは、斜辺部８３Ａ、８４Ａに案内されてユニットケース１１の背面側に導かれ、ビニールシートを確実に閉めることができる。
横枠部材７１Ｂ〜７１Ｅは、横枠部材７１Ａと同一の形状、大きさを有するものであるため、これら横枠部材７１Ｂ〜７１Ｅについては、横枠部材７１Ａの各部位と同様の符号を付して説明を省略する。
【００３１】
縦枠部材７２Ａ〜７２Ｉは、横枠部材７１Ａ〜７１Ｅの端部や角部等に配置され、当該横枠部材７１Ａ〜７１Ｅを連結する。縦枠部材の多くは、最上段の横枠部材７１Ａと最下段の横枠部材７１Ｅとの距離と略同一の長さに設けられ、閉塞防止ガード７０の上下方向に縦枠部材が突出することを防止している。
また、本実施形態では、横枠部材７１Ａ〜７１Ｅの背辺部８２Ａ〜８２Ｅに配置され、ユニットケース１１の両側部に位置する一対の縦枠部材７２Ｄ、７２Ｆは、最上段の横枠部材７１Ａ及びユニットケース１１の天板１３よりも上方に延びるガイド部８６を備える。このガイド部８６は、ユニットケース１１の前面側から背面側に向けて下方に傾斜する傾斜部８６Ａを備え、本実施形態では、図６に示すように、Ｕ字を逆さまとした形状を有する。傾斜部８６Ａの頂点８７（最高位置）は、図６に示すように、ビニールシート６１を上方に巻き上げた際に、各シート６１Ａ〜６１Ｃの下縁部６３Ａ〜６３Ｃよりも、高さＨだけ上方に位置するように形成されている。
この構成によれば、縦枠部材７２Ｄ、７２Ｆは、この縦枠部材７２Ｄ、７２Ｆの頂点８７、８７が、ビニールシート６１を巻き上げた際に、このビニールシート６１の各シート６１Ａ〜６１Ｃの下縁部６３Ａ〜６３Ｃよりも上方に延在するガイド部８６を備えるため、このガイド部８６がビニールシート６１の内側空間３側への移動を防止する。このため、ビニールシート６１はガイド部８６を越えることがなく、当該ビニールシート６１がユニットケース１１の天板１３上に引き降ろされることが防止される。
更に、このガイド部８６は、ユニットケース１１の前面側から背面側に向けて下方に傾斜する傾斜部８６Ａを備えるため、ビニールシート６１の各シート６１Ａ〜６１Ｃの下縁部６３Ａ〜６３Ｃが、この傾斜部８６Ａに案内されて降下することにより、当該ビニールシート６１を閉塞防止ガード７０の背面側に確実に案内することができる。
【００３２】
以上説明したように、本実施形態によれば、ビニールハウス１内に設置された室内機５０と、この室内機５０に冷媒配管７で接続された室外機１０とを備え、室内機５０は、送風ファン３４及び室内熱交換器５２を収容するユニットケース１１を備え、このユニットケース１１の背面には、室内熱交換器５２を露出させる背面開口部１８が形成され、ユニットケース１１の前面には、送風ファン３４により背面開口部１８から吸い込んで室内熱交換器５２を通過した調和空気を吹き出す前面開口部１６が形成され、背面開口部１８には、当該背面開口部１８とビニールハウス１のビニールシート６１との間に延在し、このビニールシート６１が背面開口部１８を塞ぐことを防止する閉塞防止ガード７０が設けられているため、ビニールシート６１が背面開口部１８に密着することがなく、室内機５０の前面開口部１６から吹き出される調和空気の送風量の低下を防止することができる。これにより、前面開口部１６から吹き出される調和空気をビニールハウス１内に循環させることにより、ビニールハウス１内の温度分布の均一化を実現することができる。
【００３３】
また、本実施形態によれば、閉塞防止ガード７０は、背面開口部１８から離間して配置された複数の横枠部材７１Ａ〜７１Ｅと、これら横枠部材７１Ａ〜７１Ｅを連結する縦枠部材７２Ａ〜７２Ｉとを備えて構成されるため、この閉塞防止ガード７０自体が背面開口部１８を塞ぐことはなく、この背面開口部１８の開口面積を狭めることがないとともに、当該閉塞防止ガード７０の軽量化を図ることができる。
【００３４】
また、本実施形態によれば、縦枠部材７２Ｄ、７２Ｆは、ビニールシート６１を巻き上げた際に、このビニールシート６１の各シート６１Ａ〜６１Ｃの下縁部６３Ａ〜６３Ｃよりも上方に延在し、ユニットケース１１の前面側から背面側に向けて下方に傾斜する傾斜部８６Ａを備えるため、ビニールシート６１の各シート６１Ａ〜６１Ｃの下縁部６３Ａ〜６３Ｃが、この傾斜部８６Ａに案内されて降下することにより、当該ビニールシート６１を閉塞防止ガード７０の背面側に確実に案内することができる。
【００３５】
また、室内機５０は、室外機１０とユニットケース１１が共通化され、空気を取り込む後面の面積ができるだけ広くなるように確保されているために、室外機１０と同様に、幅方向の長さが長い。すなわち、室内機５０の奥行き方向の長さよりも幅方向の長さが長くなるように構成されている。また、後面の全面が室内熱交換器５２で構成されているので、居室空間に設置する室内機のように室内熱交換器５２を室内機５０の内部に収容する構造と比較して、室内機５０の奥行き方向が短くなるように構成されている。
【００３６】
なお、この室内機５０は室外機１０をベースにして共通化しているが、図４に示すように、室外機１０と異なり、圧縮機４１及びアキュムレータ４４は設けられていない。この圧縮機４１及びアキュムレータ４４は室外機１０内に設置されており、冷媒回路として室内機５０にさらに設ける必要がないためである。この場合、室内機５０は、圧縮機４１及びアキュムレータ４４を設置しない分だけ小型化することができるが、室外機１０と室内機５０との他の部品の共通化を図るために、同一のユニットケース１１を用いて同一の外側形状にしている。
【００３７】
また、この室内機５０の内部には、例えば、室内機５０と室外機１０との設置位置が近い場合には、これらの圧縮機４１及びアキュムレータ４４が設置されていないスペースに図示しないレシーバタンクを設置している。これにより、この空きスペースを有効に利用することができる。
【００３８】
以上、本発明を実施するための最良の形態について述べたが、本発明は既述の実施形態に限定されるものではなく、本発明の技術思想に基づいて各種の変形及び変更が可能である。例えば、本実施の形態では、閉塞防止ガード７０を複数の横枠部材７１Ａ〜７１Ｅと、複数の縦枠部材７２Ａ〜７２Ｉとを組み合わせて構成したが、これら横枠部材及び縦枠部材の数は、室内機の形状及び大きさに応じて適宜変更しても良い。
また、横枠部材の斜辺部は、一方にのみ設けても良いし、ビニールシートを横方向にスライドさせる機構を採用しない場合には設けなくても良い。
【００３９】
また、本実施の形態では、圧縮機４１及びアキュムレータ４４を室外機１０側に設置し、室内機５０には設置しないように構成しているが、逆であってもかまわない。すなわち、室内機５０側に圧縮機４１及びアキュムレータ４４を配置し、室外機１０側には設置しないように構成することができる。本来、圧縮機４１は、動作音が発生するため、居室空間ではない外側に配置される室外機に設置するものである。しかし、このように構成された農事用空調機６の場合には、内側空間３の静音性は要求されず、かえって夜間の運転中の外側空間２の音を小さくしたい場合があり、このような場合に優れた効果を奏する。
なお、この場合において、レシーバタンクを設置する場合には、圧縮機４１及びアキュムレータ４４が設置されていない室内機５０側に配置することで、室内機５０内のスペースを有効に利用することができる。
【００４０】
さらに、本実施の形態では、内側空間３の空気を室内機５０で取り込んでいるが、外側空間２の空気を室内機で取り込むようにして、強制的に内側空間３に空調後の空気を送り込むようにすることもできる。
また、本実施形態では、ビニールハウス１の中に、２台の室内機５０を配置したが、これに限らず、ビニールハウス１の容積が小さい場合には、一台の室内機５０だけ設置する構成としてもよく、ビニールハウス１の容積が大きい場合には、多数台の室内機５０（この場合、室外機１０も多数台）を設置する構成としてもよい。
【図面の簡単な説明】
【００４１】
【図１】植物等の栽培に用いられるビニールハウス内に農事用空調機を設置した状態を示す概要図である。
【図２】農事用空調機に使用される室外機の外観斜視図である。
【図３】室外機のユニットケース内に収容される機器の構成を示す分解斜視図である。
【図４】農事用空調機に使用される室内機を示す斜視図である。
【図５】室内機の平面図である。
【図６】室内機とビニールシートとの配置関係を示す側面図である。
【図７】閉塞防止ガードが配置された室内機の外観斜視図である。
【符号の説明】
【００４２】
１  ビニールハウス（植物栽培用ハウス）
２  外側空間
３  内側空間
４  外壁
５  植物
６  農事用空調機（農事用空気調和装置）
７  冷媒配管
１０  室外機
１１  ユニットケース
１６  前面開口部
１８  背面開口部
３２  室外熱交換器
３４  送風ファン
５０  室内機
５２  室内熱交換器
６１  ビニールシート（樹脂シート）
６３Ａ  下縁部
７０  閉塞防止ガード
７１Ａ〜７１Ｅ  横枠部材
７２Ａ〜７１Ｉ  縦枠部材
８１Ａ  前辺部
８２Ａ  背辺部
８３Ａ  斜辺部
８６  ガイド部
８６Ａ  傾斜部
８７  頂点
８１Ａ１  端部
【図１】
2010196976.tif 000003
【図２】
2010196976.tif 000004
【図３】
2010196976.tif 000005
【図４】
2010196976.tif 000006
【図５】
2010196976.tif 000007
【図６】
2010196976.tif 000008
【図７】
2010196976.tif 000009